(57)【要約】【課題】再生を所望する音声情報を容易に選択する。【解決手段】マイクロプロセッサ１１は、ＵＳＢメモリ３から複数の音声情報ファイルのファイル名を読み出す読出部１１１と、読み出されたファイル名毎に、予め設定されたルールに則って番号情報を付与すると共に、ファイル名情報と対応付けて番号情報を番号記憶部１８１に格納する番号付与部１１２と、リモコン２を介してユーザからの操作入力を受け付けて、受け付けられた操作入力に基づいて、再生する対象の音声情報に対応する番号情報を設定する番号設定部１１３と、設定された番号情報に対応する音声情報をＵＳＢメモリ３から読み出して再生して、スピーカ５に出力する再生部１１５と、を備えている。【選択図】図２
2008234769.tif 000002
【特許請求の範囲】
【請求項１】
モニタ、スピーカ及び数字を入力する場合に押下されるテンキーを備えたリモコンと通信可能に接続され、予め複数の音声情報が、それぞれ１のファイルとしてファイル名が付与されて格納されたＵＳＢメモリから、前記複数の音声情報を読み出して再生する光ディスクプレーヤであって、
前記ファイル名情報と対応付けて、音声情報ファイルを識別する識別情報として機能する番号情報を格納する番号記憶手段と、
前記ＵＳＢメモリから複数の音声情報ファイルのファイル名を読み出す読出手段と、
前記読出手段によって読み出されたファイル名毎に、予め設定されたルールに則って前記番号情報を付与すると共に、前記ファイル名情報と対応付けて番号情報を前記番号記憶手段に格納する番号付与手段と、
外部からの操作入力を受け付けて、受け付けられた操作入力に基づいて、再生する対象の音声情報に対応する番号情報を設定する番号設定手段と、
前記番号記憶手段に格納されたファイル名情報と対応付けて番号情報を前記モニタに表示する表示制御手段と、
前記番号設定手段によって設定された番号情報に対応する音声情報を前記ＵＳＢメモリから読み出して再生し、前記スピーカに出力する再生手段と、
を備え、
前記番号付与手段は、前記読出手段によってファイル名が読み出される度に、連続する番号情報を順次付与し、
前記番号設定手段は、前記リモコンを介して、押下されるテンキーに対応する番号情報を設定し、
前記表示制御手段は、前記番号設定手段によって番号情報が設定された場合に、設定された番号情報に対応するファイル名情報を前記モニタに表示することを特徴とする光ディスクプレーヤ。
【請求項２】
モニタ及びスピーカと通信可能に接続され、予め複数の音声情報が、それぞれ１のファイルとしてファイル名が付与されて格納された記録媒体から、前記複数の音声情報を読み出して再生する音声再生装置であって、
前記ファイル名情報と対応付けて、音声情報ファイルを識別する識別情報として機能する番号情報を格納する番号記憶手段と、
前記記録媒体から複数の音声情報ファイルのファイル名を読み出す読出手段と、
前記読出手段によって読み出されたファイル名毎に、予め設定されたルールに則って前記番号情報を付与すると共に、前記ファイル名情報と対応付けて番号情報を前記番号記憶手段に格納する番号付与手段と、
外部からの操作入力を受け付けて、受け付けられた操作入力に基づいて、再生する対象の音声情報に対応する番号情報を設定する番号設定手段と、
前記番号設定手段によって設定された番号情報に対応する音声情報を前記記録媒体から読み出して再生し、前記スピーカに出力する再生手段と、
を備えることを特徴とする音声再生装置。
【請求項３】
前記番号記憶手段に格納されたファイル名情報と対応付けて番号情報を前記モニタに表示する表示制御手段を備えることを特徴とする請求項２に記載の音声再生装置。
【請求項４】
前記表示制御手段は、前記番号設定手段によって番号情報が設定された場合に、設定された番号情報に対応するファイル名情報を前記モニタに表示することを特徴とする請求項３に記載の音声再生装置。
【請求項５】
前記番号付与手段は、前記読出手段によってファイル名が読み出される度に、連続する番号情報を順次付与することを特徴とする請求項２〜請求項４のいずれかに記載の音声再生装置。
【請求項６】
数字を入力する場合に押下されるテンキーを備えたリモコンと通信可能に接続され、
前記番号設定手段は、前記リモコンを介して、押下されるテンキーに対応する番号情報を設定することを特徴とする請求項２〜請求項５のいずれかに記載の音声再生装置。
【発明の詳細な説明】
【技術分野】
【０００１】
本発明は、モニタ及びスピーカと通信可能に接続され、予め複数の音声情報が、それぞれ１のファイルとしてファイル名が付与されて格納された記録媒体から、前記複数の音声情報を読み出して再生する音声再生装置に関する。特に、モニタ、スピーカ及び数字を入力する場合に押下されるテンキーを備えたリモコンと通信可能に接続され、予め複数の音声情報が、それぞれ１のファイルとしてファイル名が付与されて格納されたＵＳＢメモリから、前記複数の音声情報を読み出して再生する光ディスクプレーヤに関する。
【背景技術】
【０００２】
近年、ＵＳＢ（Ｕｎｉｖｅｒｓａｌ  Ｓｅｒｉａｌ  Ｂｕｓ）メモリ等の携帯可能なメモリの大容量化に伴い、インターネットを介してダウンロードされた多数の音声情報をＵＳＢメモリ等に格納することができるようになってきている。
【０００３】
また、ユーザの利便性を向上するために、ＵＳＢメモリ等に格納された音声データを光ディスクプレーヤ等の音声再生装置において再生する種々の装置、方法が提案されている。例えば、ＵＳＢメモリ等に格納された音声情報を再生可能なデータ再生装置が開示されている（特許文献１参照）。
【特許文献１】特開２００５−５６４７９号公報
【発明の開示】
【発明が解決しようとする課題】
【０００４】
しかしながら、ＵＳＢメモリ等の大容量化に伴い、ＵＳＢメモリ等に格納される音声情報の個数が膨大となり、その結果、ユーザが再生等を所望する音声情報を選択することが困難な場合がある。
【０００５】
上記の課題に鑑みて、本発明は、再生を所望する音声情報を容易に選択することの可能な音声再生装置及び光ディスクプレーヤを提供することを目的としている。
【課題を解決するための手段】
【０００６】
上記目的を達成するために請求項１に記載の光ディスクプレーヤは、モニタ、スピーカ及び数字を入力する場合に押下されるテンキーを備えたリモコンと通信可能に接続され、予め複数の音声情報が、それぞれ１のファイルとしてファイル名が付与されて格納されたＵＳＢメモリから、前記複数の音声情報を読み出して再生する光ディスクプレーヤであって、前記ファイル名情報と対応付けて、音声情報ファイルを識別する識別情報として機能する番号情報を格納する番号記憶手段と、前記ＵＳＢメモリから複数の音声情報ファイルのファイル名を読み出す読出手段と、前記読出手段によって読み出されたファイル名毎に、予め設定されたルールに則って前記番号情報を付与すると共に、前記ファイル名情報と対応付けて番号情報を前記番号記憶手段に格納する番号付与手段と、外部からの操作入力を受け付けて、受け付けられた操作入力に基づいて、再生する対象の音声情報に対応する番号情報を設定する番号設定手段と、前記番号記憶手段に格納されたファイル名情報と対応付けて番号情報を前記モニタに表示する表示制御手段と、前記番号設定手段によって設定された番号情報に対応する音声情報を前記ＵＳＢメモリから読み出して再生し、前記スピーカに出力する再生手段と、を備え、前記番号付与手段が、前記読出手段によってファイル名が読み出される度に、連続する番号情報を順次付与し、前記番号設定手段が、前記リモコンを介して、押下されるテンキーに対応する番号情報を設定し、前記表示制御手段が、前記番号設定手段によって番号情報が設定された場合に、設定された番号情報に対応するファイル名情報を前記モニタに表示することを特徴としている。
【０００７】
請求項２に記載の音声再生装置は、モニタ及びスピーカと通信可能に接続され、予め複数の音声情報が、それぞれ１のファイルとしてファイル名が付与されて格納された記録媒体から、前記複数の音声情報を読み出して再生する音声再生装置であって、前記ファイル名情報と対応付けて、音声情報ファイルを識別する識別情報として機能する番号情報を格納する番号記憶手段と、前記記録媒体から複数の音声情報ファイルのファイル名を読み出す読出手段と、前記読出手段によって読み出されたファイル名毎に、予め設定されたルールに則って前記番号情報を付与すると共に、前記ファイル名情報と対応付けて番号情報を前記番号記憶手段に格納する番号付与手段と、外部からの操作入力を受け付けて、受け付けられた操作入力に基づいて、再生する対象の音声情報に対応する番号情報を設定する番号設定手段と、前記番号設定手段によって設定された番号情報に対応する音声情報を前記記録媒体から読み出して再生し、前記スピーカに出力する再生手段と、を備えることを特徴としている。
【０００８】
請求項３に記載の音声再生装置は、請求項２に記載の音声再生装置であって、前記番号記憶手段に格納されたファイル名情報と対応付けて番号情報を前記モニタに表示する表示制御手段を備えることを特徴としている。
【０００９】
請求項４に記載の音声再生装置は、請求項３に記載の音声再生装置であって、前記表示制御手段が、前記番号設定手段によって番号情報が設定された場合に、設定された番号情報に対応するファイル名情報を前記モニタに表示することを特徴としている。
【００１０】
請求項５に記載の音声再生装置は、請求項２〜請求項４のいずれかに記載の音声再生装置であって、前記番号付与手段が、前記読出手段によってファイル名が読み出される度に、連続する番号情報を順次付与することを特徴としている。
【００１１】
請求項６に記載の音声再生装置は、請求項２〜請求項５のいずれかに記載の音声再生装置であって、数字を入力する場合に押下されるテンキーを備えたリモコンと通信可能に接続され、前記番号設定手段が、前記リモコンを介して、押下されるテンキーに対応する番号情報を設定することを特徴としている。
【発明の効果】
【００１２】
請求項１に記載の光ディスクプレーヤによれば、ＵＳＢメモリから複数の音声情報ファイルのファイル名が読み出され、読み出されたファイル名毎に、予め設定されたルールに則って番号情報を付与されると共に、ファイル名情報と対応付けて番号情報が番号記憶手段に格納される。そして、外部からの操作入力が受け付けられて、受け付けられた操作入力に基づいて、再生する対象の音声情報に対応する番号情報が設定され、設定された番号情報に対応する音声情報がＵＳＢメモリから読み出されて再生され、スピーカに出力されるため、再生を所望する音声情報を容易に選択することができる。
【００１３】
すなわち、ファイル名毎に、予め設定されたルールに則って番号情報を付与されるため、ユーザは付与された番号情報を記憶しておくことによって、番号情報を介して音声情報を選択することができるので、再生を所望する音声情報を容易に選択することができるのである。
【００１４】
また、番号記憶手段に格納されたファイル名情報と対応付けて番号情報がモニタに表示されるため、モニタに表示されたファイル名情報を参照して、番号情報を介して音声情報を選択することができるので、再生を所望する音声情報を更に容易に選択することができる。
【００１５】
更に、番号情報が設定された場合に、設定された番号情報に対応するファイル名情報がモニタに表示されるため、番号情報を介して音声情報を選択した際に、設定された番号情報に対応するファイル名情報を確認することができるので、再生を所望する音声情報を更に容易に選択することができる。
【００１６】
加えて、ファイル名が読み出される度に、連続する番号情報が順次付与されるため、少ない桁数で音声情報ファイルを識別する識別情報として機能する番号情報を付与することができると共に、ユーザがＵＳＢメモリに格納された音声情報ファイルに付与される番号情報を推定することができるので、利便性を向上することができる。
【００１７】
すなわち、少ない桁数で音声情報ファイルを識別する識別情報として機能する番号情報を付与することができるので、ユーザが音声情報ファイルを選択するために記憶するべき番号の桁数が少なくなるのである。また、ユーザがＵＳＢメモリに格納された音声情報ファイルに付与される番号情報を推定することができるので、ユーザが番号情報を記憶していない場合であっても、再生を所望する音声情報ファイルがＵＳＢメモリに格納された概略の順番を記憶している場合には、ユーザがＵＳＢメモリに格納された音声情報ファイルに付与される番号情報を推定することができるので、再生を所望する音声情報を更に容易に選択することができるのである。
【００１８】
また、数字を入力する場合に押下されるテンキーを備えたリモコンと通信可能に接続され、リモコンを介して、押下されるテンキーに対応する番号情報が設定されるため、再生を所望する音声情報を更に容易に選択することができる。
【００１９】
請求項２に記載の音声再生装置によれば、記録媒体から複数の音声情報ファイルのファイル名が読み出され、読み出されたファイル名毎に、予め設定されたルールに則って番号情報を付与されると共に、ファイル名情報と対応付けて番号情報が番号記憶手段に格納される。そして、外部からの操作入力が受け付けられて、受け付けられた操作入力に基づいて、再生する対象の音声情報に対応する番号情報が設定され、設定された番号情報に対応する音声情報が記録媒体から読み出されて再生され、スピーカに出力されるため、再生を所望する音声情報を容易に選択することができる。
【００２０】
すなわち、ファイル名毎に、予め設定されたルールに則って番号情報を付与されるため、ユーザは付与された番号情報を記憶しておくことによって、番号情報を介して音声情報を選択することができるので、再生を所望する音声情報を容易に選択することができるのである。
【００２１】
請求項３に記載の音声再生装置によれば、番号記憶手段に格納されたファイル名情報と対応付けて番号情報がモニタに表示されるため、モニタに表示されたファイル名情報を参照して、番号情報を介して音声情報を選択することができるので、再生を所望する音声情報を更に容易に選択することができる。
【００２２】
請求項４に記載の音声再生装置によれば、番号情報が設定された場合に、設定された番号情報に対応するファイル名情報がモニタに表示されるため、番号情報を介して音声情報を選択した際に、設定された番号情報に対応するファイル名情報を確認することができるので、再生を所望する音声情報を更に容易に選択することができる。
【００２３】
請求項５に記載の音声再生装置によれば、ファイル名が読み出される度に、連続する番号情報が順次付与されるため、少ない桁数で音声情報ファイルを識別する識別情報として機能する番号情報を付与することができると共に、ユーザが記録媒体に格納された音声情報ファイルに付与される番号情報を推定することができるので、利便性を向上することができる。
【００２４】
すなわち、少ない桁数で音声情報ファイルを識別する識別情報として機能する番号情報を付与することができるので、ユーザが音声情報ファイルを選択するために記憶するべき番号の桁数が少なくなるのである。また、ユーザが記録媒体に格納された音声情報ファイルに付与される番号情報を推定することができるので、ユーザが番号情報を記憶していない場合であっても、再生を所望する音声情報ファイルが記録媒体に格納された概略の順番を記憶している場合には、ユーザが記録媒体に格納された音声情報ファイルに付与される番号情報を推定することができるので、再生を所望する音声情報を更に容易に選択することができるのである。
【００２５】
請求項６に記載の音声再生装置によれば、数字を入力する場合に押下されるテンキーを備えたリモコンと通信可能に接続され、リモコンを介して、押下されるテンキーに対応する番号情報が設定されるため、再生を所望する音声情報を更に容易に選択することができる。
【発明を実施するための最良の形態】
【００２６】
以下に本発明の実施形態を、図面を参照しながら説明する。図１は、本発明に係る光ディスクプレーヤ１の構成の一例を示すブロック図である。光ディスクプレーヤ１（音声再生装置に相当する）は、ＣＤ（Ｃｏｍｐａｃｔ  Ｄｉｓｋ）１０又はＵＳＢメモリ３に格納された音声情報を再生するものであって、リモートコントローラ（＝Ｒｅｍｏｔｅｃｏｎｔｒｏｌｌｅｒ：以下、「リモコン」という）２と赤外線通信を介して通信可能に接続されると共に、ＵＳＢメモリ３、ディスプレイ４、及びスピーカ５と通信可能に接続されている。
【００２７】
リモコン２（番号設定手段の一部、再生手段の一部に相当する）は、数字を入力する場合に押下されるテンキーを備え、ユーザからの操作入力を受け付けて、操作入力に対応する赤外線信号を生成して、光ディスクプレーヤ１に対して出力するものである。
【００２８】
ＵＳＢメモリ３（記録媒体に相当する）は、予め複数の音声情報が、それぞれ１のファイルとしてファイル名が付与されて格納されたものである。ディスプレイ４（モニタに相当する）は、ＬＣＤ（Ｌｉｑｕｉｄ  Ｃｒｙｓｔａｌ  Ｄｉｓｐｌａｙ）等からなり、種々の情報を外部から視認可能に表示するものである。スピーカ５は、ＵＳＢメモリ３等に格納された音声情報を外部に出力するものである。
【００２９】
また、光ディスクプレーヤ１は、マイクロプロセッサ１１、光ピックアップ１２、ＲＦ回路１３、外部インターフェイス１４、ＵＳＢインターフェイス１５、インターフェイス１６、表示部１７、メモリ１８、及び、赤外線信号受信部１９を備えている。
【００３０】
マイクロプロセッサ１１は、光ディスクプレーヤ１全体の動作を制御するものである。光ピックアップ１２は、ＣＤ１０に対してレーザビームを照射してデータの読み出し（ＰＬＡＹ＝再生）を行うものである。
【００３１】
ＲＦ回路１３は、光ピックアップ１２から出力されるＲＦ（Ｒａｄｉｏ  Ｆｒｅｑｕｅｎｃｙ）信号を処理するものである。外部インターフェイス１４は、外部入出力機器との間で、データの入出力を行う際のデータ形式の変換等を行うものである。ＵＳＢインターフェイス１５（読出手段の一部、再生手段の一部に相当する）は、ＵＳＢメモリ３を着脱自在に構成され、ＵＳＢ端子を介してＵＳＢメモリ３に格納された音声情報等を取得するものである。インターフェイス１６は、ケーブルを介してディスプレイ４、及び、スピーカ５との間で映像情報、音声情報、コマンド情報等の種々の情報の送受信を行うものである。
【００３２】
表示部１７は、例えば、ＬＣＤ（Ｌｉｑｕｉｄ  Ｃｒｙｓｔａｌ  Ｄｉｓｐｌａｙ）等からなり、外部から視認可能にガイダンス情報、メッセージ情報、設定情報等の種々の情報を表示するものである。メモリ１８は、種々の情報を格納するものである。赤外線信号受信部１９は、リモコン２から送信された赤外線信号を受信するものである。
【００３３】
図２は、本発明に係る光ディスクプレーヤ１における主要部の構成の一例を示す機能構成図である。図１に示すマイクロプロセッサ１１は、機能的に、読出部１１１、番号付与部１１２、番号設定部１１３、表示制御部１１４、及び、再生部１１５を備え、メモリ１８は、機能的に、番号記憶部１８１を備えている。
【００３４】
ここでは、マイクロプロセッサ１１が、図略のＲＯＭ（Ｒｅａｄ  Ｏｎｌｙ  Ｍｅｍｏｒｙ）等に予め格納された制御プログラムを読み出して実行することにより、読出部１１１、番号付与部１１２、番号設定部１１３、表示制御部１１４、再生部１１５等の機能部として機能すると共に、メモリ１８を、番号記憶部１８１等の機能部として機能させるものである。
【００３５】
また、メモリ１８又は図略のＲＯＭに格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ、ＤＶＤ（Ｄｉｇｉｔａｌ  Ｖｅｒｓａｔｉｌｅ  Ｄｉｓｋ）、半導体メモリ等である。
【００３６】
番号記憶部１８１（番号記憶手段に相当する）は、ファイル名情報と対応付けて、音声情報ファイルを識別する識別情報として機能する番号情報を格納するものである。ここで、番号記憶部１８１に格納されるファイル名情報は、読出部１１１によってＵＳＢメモリ３から読み出されるものであって、番号記憶部１８１に格納される番号情報は、番号付与部１１２によって付与されるものである。
【００３７】
読出部１１１（読出手段の一部に相当する）は、ＵＳＢメモリ３が、図１に示すＵＳＢインターフェイス１５に装着された場合に、ＵＳＢメモリ３から複数の音声情報ファイルのファイル名情報を読み出すものである。
【００３８】
番号付与部１１２（番号付与手段に相当する）は、読出部１１１によってＵＳＢメモリ３から読み出されたファイル名毎に、予め設定されたルールに則って、音声情報ファイルを識別する識別情報として機能する番号情報を付与すると共に、ファイル名情報と対応付けて番号情報を番号記憶部１８１に格納するものである。また、番号付与部１１２は、読出部１１１によってファイル名が読み出される度に、連続する３桁の番号情報（０００〜９９９）を順次付与するものである。
【００３９】
番号設定部１１３（番号設定手段の一部に相当する）は、リモコン２を介してユーザからの操作入力を受け付けて、受け付けられた操作入力に基づいて、再生する対象の音声情報に対応する番号情報を設定するものである。また、番号設定部１１３は、リモコン２を介して、押下されるテンキーに対応する番号情報を設定するものである。
【００４０】
表示制御部１１４（表示制御手段に相当する）は、番号記憶部１８１に格納されたファイル名情報と対応付けて番号情報をディスプレイ４に表示するものである。具体的には、表示制御部１１４は、番号付与部１１２によって、読出部１１１によりＵＳＢメモリ３から読み出された全てのファイル名に対応付けて番号情報が付与された際に、ファイル名情報と対応付けて番号情報をディスプレイ４に表示するものである。また、表示制御部１１４は、番号設定部１１３によって番号情報が設定された場合に、設定された番号情報に対応するファイル名情報をディスプレイ４に表示するものである。
【００４１】
再生部１１５（再生手段の一部に相当する）は、番号設定部１１３によって設定された番号情報に対応する音声情報をＵＳＢメモリ３から読み出して再生し、スピーカ５に出力するものである。
【００４２】
図３は、光ディスクプレーヤ１（主に、マイクロプロセッサ１１）の動作の一例を示すフローチャートである。まず、読出部１１１によって、ＵＳＢメモリ３がＵＳＢインターフェイス１５に装着されたか否かの判定が行われる（Ｓ１０１）。装着されていないと判定された場合（Ｓ１０１でＮＯ）には、処理が待機状態とされる。装着されたと判定された場合（Ｓ１０１でＮＯ）には、読出部１１１によって、ＵＳＢメモリ３から音声情報ファイルのファイル名情報が読み出される（Ｓ１０３）。そして、番号付与部１１２によって、ステップＳ１０３においてＵＳＢメモリ３から読み出されたファイル名毎に、連続する３桁の番号情報（０００〜９９９）が順次付与され、ファイル名情報と対応付けて番号情報が番号記憶部１８１に格納されと共に、表示制御部１１４によって、ファイル名情報と対応付けて番号情報がディスプレイ４に表示される（Ｓ１０５）。
【００４３】
次いで、番号設定部１１３によって、再生する対象の音声情報に対応する番号情報が設定されたか否かの判定が行われる（Ｓ１０７）。番号情報が設定されていないと判定された場合（Ｓ１０７でＮＯ）には、処理が待機状態とされる。番号情報が設定されたと判定された場合（Ｓ１０７でＹＥＳ）には、表示制御部１１４によって、ステップＳ１０７において設定された番号情報に対応するファイル名情報がディスプレイ４に表示される（Ｓ１０９）。そして、再生部１１５によって、ステップＳ１０７において設定された番号情報に対応する音声情報がＵＳＢメモリ３から読み出され（Ｓ１１１）、再生されてスピーカ５に出力され（Ｓ１１３）、処理が終了される。
【００４４】
図４は、図３に示すフローチャートのステップＳ１０９において表示制御部１１４によってディスプレイ４に表示される選択表示画面５００の一例を示す画面図である。選択表示画面５００には、画面上部右側に、番号表示部５０１、及び、検索ボタン５０２が表示され、画面略中央部には、フォルダマーク表示部５０３、フォルダ名表示部５０４、ファイルマーク表示部５０５、ファイル名表示部５０６が表示され、ファイル名表示部５０６の右側に、番号表示部５０７が表示されている。また、画面下部右側には、再生ボタン５０９、及び、キャンセルボタン５１０が表示されている。
【００４５】
番号表示部５０１は、リモコン２を介して受け付けられ、再生する対象の音声情報に対応する番号情報を表示するものである。検索ボタン５０２は、番号表示部５０１に入力された番号情報に対応するファイル名を検索し表示する場合に押下されるボタンである。フォルダマーク表示部５０３は、予め設定された所定数の曲（例えば、１００曲）毎にフォルダに格納されていることを示すマークを表示するものである。フォルダ名表示部５０４は、予め設定されたフォルダ名（例えば、フォルダに含まれる曲の歌手名）を表示するものである。
【００４６】
ファイルマーク表示部５０５は、ファイルの型式（例えば、ＭＰ３（ＭＰＥＧ（Ｍｏｖｉｎｇ  Ｐｉｃｔｕｒｅ  Ｅｘｐｅｒｔｓ  Ｇｒｏｕｐ）−１  Ａｕｄｉｏ  Ｌａｙｅｒ−３）等を示すアイコンを表示するものである。ファイル名表示部５０６は、予め設定されたファイル名（例えば、曲名）を表示するものである。番号表示部５０７は、ファイル名表示部５０６に表示されたファイル名に対して付与された３桁の番号を表示するものである。なお、選択状態にある番号表示部５０７には、太枠で選択状態表示部５０８が表示される。ここでは、番号が「１０１」に対応する音声情報が選択されている。
【００４７】
再生ボタン５０９は、選択状態にある音声情報を再生する場合に押下されるボタンである。キャンセルボタン５１０は、選択状態を解消する場合に押下されるボタンである。ユーザは、番号表示部５０１に再生を所望する音声情報に対応する番号を入力し、検索ボタン５０２を押下し、ファイル名表示部５０６に表示されたファイル名が再生を所望する音声情報のファイル名であることを確認して、再生ボタン５０９を押下することによって、所望する音声情報を再生することができる。
【００４８】
このようにして、ＵＳＢメモリ３から複数の音声情報ファイルのファイル名が読み出され、読み出されたファイル名毎に、予め設定されたルールに則って番号情報を付与されると共に、ファイル名情報と対応付けて番号情報が番号記憶部１８１に格納される。そして、リモコン２を介してユーザからの操作入力が受け付けられて、受け付けられた操作入力に基づいて、再生する対象の音声情報に対応する番号情報が設定され、設定された番号情報に対応する音声情報がＵＳＢメモリ３から読み出されて再生され、スピーカ５に出力されるため、再生を所望する音声情報を容易に選択することができる。
【００４９】
すなわち、ファイル名毎に、予め設定されたルールに則って番号情報を付与されるため、ユーザは付与された番号情報を記憶しておくことによって、番号情報を介して音声情報を選択することができるので、再生を所望する音声情報を容易に選択することができるのである。
【００５０】
また、番号記憶部１８１に格納されたファイル名情報と対応付けて番号情報がディスプレイ４に表示されるため、ディスプレイ４に表示されたファイル名情報を参照して、番号情報を介して音声情報を選択することができるので、再生を所望する音声情報を更に容易に選択することができる。
【００５１】
更に、番号情報が設定された場合に、設定された番号情報に対応するファイル名情報がモニタに表示される（図４に示すファイル名表示部５０６参照）ため、番号情報を介して音声情報を選択した際に、設定された番号情報に対応するファイル名情報を確認することができるので、再生を所望する音声情報を更に容易に選択することができる。
【００５２】
加えて、ファイル名が読み出される度に、連続する番号情報が順次付与されるため、少ない桁数（ここでは、３桁）で音声情報ファイルを識別する識別情報として機能する番号情報を付与することができると共に、ユーザがＵＳＢメモリ３に格納された音声情報ファイルに付与される番号情報を推定することができるので、利便性を向上することができる。
【００５３】
すなわち、少ない桁数（ここでは、３桁）で音声情報ファイルを識別する識別情報として機能する番号情報を付与することができるので、ユーザが音声情報ファイルを選択するために記憶するべき番号の桁数が少なくなるのである。また、ユーザがＵＳＢメモリ３に格納された音声情報ファイルに付与される番号情報を推定することができるので、ユーザが番号情報を記憶していない場合であっても、再生を所望する音声情報ファイルがＵＳＢメモリ３に格納された概略の順番を記憶している場合には、ユーザがＵＳＢメモリ３に格納された音声情報ファイルに付与される番号情報を推定することができるので、再生を所望する音声情報を更に容易に選択することができるのである。
【００５４】
また、数字を入力する場合に押下されるテンキーを備えたリモコン２と通信可能に接続され、リモコン２を介して、押下されるテンキーに対応する番号情報が設定されるため、再生を所望する音声情報を更に容易に選択することができる。
【００５５】
なお、本発明は、以下の形態にも適用可能である。
（Ａ）本実施形態では、音声再生装置が光ディスクプレーヤ１である場合について説明したが、記録媒体から前記複数の音声情報を読み出して再生する装置であればよい。例えば、音声再生装置が、ＨＤＤ（Ｈａｒｄ  Ｄｉｓｋ  Ｄｒｉｖｅ）から音声情報を読み出して再生するＨＤＤプレーヤである形態でもよい。
【００５６】
（Ｂ）本実施形態では、記録媒体が、ＵＳＢメモリ３である場合について説明したが、その他の種類の記録媒体である形態でもよい。例えば、記録媒体がカードメモリである形態でもよいし、ＨＤＤである形態でもよい。
【００５７】
（Ｃ）本実施形態では、マイクロプロセッサ１１が、読出部１１１、番号付与部１１２、番号設定部１１３、表示制御部１１４、及び、再生部１１５を備える場合について説明したが読出部１１１、番号付与部１１２、番号設定部１１３、表示制御部１１４、及び、再生部１１５の内、少なくとも１の機能部が回路等のハードウェアによって構成されている形態でもよい。
【００５８】
（Ｄ）本実施形態では、表示制御部１１４が、ディスプレイ４にファイル名情報と対応付けて番号情報を表示する場合について説明したが、表示制御部１１４が、表示部１７にファイル名情報と対応付けて番号情報を表示する形態でもよい。
【００５９】
（Ｅ）本実施形態では、ＵＳＢメモリ３に音声情報が格納されている場合について説明したが、ＵＳＢメモリ３にその他の種類の情報が格納されている形態でもよい。例えば、ＵＳＢメモリ３に、画像情報が格納されている形態でもよいし、音声情報と画像情報とが格納されている形態でもよい。
【図面の簡単な説明】
【００６０】
【図１】は、本発明に係る光ディスクプレーヤの構成の一例を示すブロック図である。
【図２】は、本発明に係る光ディスクプレーヤにおける主要部の構成の一例を示す機能構成図である。
【図３】は、光ディスクプレーヤ（主に、マイクロプロセッサ）の動作の一例を示すフローチャートである。
【図４】は、図３に示すフローチャートのステップＳ１０９において表示制御部によってディスプレイに表示される選択表示画面の一例を示す画面図である。
【符号の説明】
【００６１】
１    光ディスクプレーヤ
１１    マイクロプロセッサ
１１１    読出部（読出手段の一部）
１１２    番号付与部（番号付与手段）
１１３    番号設定部（番号設定
１１４    表示制御部（表示制御手段）
１１５    再生部（再生手段の一部）
１５    ＵＳＢインターフェイス（読出手段の一部、再生手段の一部）
１７    表示部
１８    メモリ
１８１    番号記憶部（番号記憶手段）
２    リモコン（番号設定手段の一部、再生手段の一部）
３    ＵＳＢメモリ（記録媒体）
４    ディスプレイ（モニタ）
５    スピーカ
【図１】
2008234769.tif 000003
【図２】
2008234769.tif 000004
【図３】
2008234769.tif 000005
【図４】
2008234769.tif 000006